(57)【要約】      （修正有）【課題】低背化が可能なハウジングの収容凹部へ２種類のメモリーカードを同一方向から同時に挿抜可能とするトレイに充分な強度が得られ、メモリーカードを位置決めするトレイが変形や破損しにくいメモリーカード用コネクタを提供する。【解決手段】ヒンジ連結部１５に回動自在に連結する第１トレイ１１と第２トレイ１３に第１メモリーカード２０と第２メモリーカード２２を位置決めし、互いに平行とした第１トレイ１１と第２トレイ１３を絶縁支持プレート３で上下に隔てられる第１収容凹部４と第２収容凹部５へ挿入して、１メモリーカード２０と第２メモリーカード２２を第１収容凹部４と第２収容凹部５に臨む第１コンタクト６と第２コンタクト７へ同時に接続する。【選択図】図８
2015005408.tif 000002
【特許請求の範囲】
【請求項１】
平板状の絶縁支持プレートの上下に分けて、第１収容凹部と第２収容凹部が凹設されたハウジング本体と、
第１収容凹部内に第１接触部を臨ませて前記絶縁支持プレートに固定され、第１収容凹部に挿入される第１メモリーカードの複数の第１電極にそれぞれ電気接続する複数の第１コンタクトと、
第２収容凹部内に第２接触部を臨ませて前記絶縁支持プレートに固定され、第２収容凹部に挿入される第２メモリーカードの複数の第２電極にそれぞれ電気接続する複数の第２コンタクトと、
第１メモリーカードの周囲を囲い、第１メモリーカードを第１電極が内面側に露出する姿勢で位置決めする第１トレイと、第２メモリーカードの周囲を囲い、第２メモリーカードを第２電極が内面側に露出する姿勢で位置決めする第２トレイと、第１トレイと第２トレイに回動自在に連結し、第１トレイに位置決めされる第１メモリーカードと第２トレイに位置決めされる第２メモリーカードとが少なくとも前記絶縁支持プレートの厚さ以上の間隔を隔てて対向する状態で平行に支持可能なヒンジ連結部とを有するカードホルダーとを備え、
カードホルダーの第１トレイと第２トレイを、絶縁支持プレートの上面と下面に沿って第１収容凹部と第２収容凹部へ挿入し、第１メモリーカードの第１電極と第２メモリーカードの第２電極を、それぞれ対応部位に臨む第１接触部と第２接触部へ電気接続させることを特徴とするメモリーカード用コネクタ。
【請求項２】
第１トレイと第２トレイの少なくとも一方を導電性金属板を折り曲げて形成し、第１収容凹部及び／又は第２収容凹部の前記絶縁支持プレートに対向する対向面を覆うシールドケースに接触させることを特徴とする請求項１に記載のメモリーカード用コネクタ。
【請求項３】
第１トレイと第２トレイの少なくとも一方は、直交する２方向で第１メモリーカード及び／又は第２メモリーカードの周囲を囲う４片の枠片を有し、１片の枠片に第１メモリーカード及び／又は第２メモリーカードの周囲に弾性接触する板バネ片部が形成されていることを特徴とする請求項１又は請求項２のいずれか１項に記載のメモリーカード用コネクタ。
【発明の詳細な説明】
【技術分野】
【０００１】
本発明は、携帯電話機、デジタルカメラ等の携帯電子機器に搭載されるメモリーカード用コネクタに関し、特に、２種類のメモリーカードを同方向から挿入して接続するメモリーカード用コネクタに関するものである。
【背景技術】
【０００２】
近年、携帯電話機、ゲーム機、デジタルカメラ等の携帯電子機器には、使用者の個人情報等が記憶された情報管理用のメモリーカードと、カメラで撮像した画像などの種々の情報を記憶する記録用のメモリーカードとを接続したり、異なる通信方式や使用地域に応じて２種類の情報管理用のメモリーカードを携帯電話機に接続することが要望され、これらの携帯電子機器に搭載するコネクタとして、２種類のメモリーカードを同時に接続可能なメモリーカード用コネクタが提供されている。
【０００３】
このメモリーカード用コネクタは、２種類のメモリーカードを挿入するために、それぞれ独立した２種類のカード収容凹部がハウジング本体に形成されるが、従来、コネクタを実装するプリント配線基板側の実装面積が拡大しないように、プリント配線基板の実装面と平行となる２種類のカード収容凹部をハウジング本体の上下の２段に分けて形成したメモリーカード用コネクタが知られている（特許文献１）。
【０００４】
この特許文献１に記載のメモリーカード用コネクタ１００は、図９に示すように、外形や厚みの異なる２種類のメモリーカードをそれぞれ収容可能な形状とした第１カード収容凹部１０１と第２カード収容凹部１０２が、絶縁ハウジング１０３の平板状の絶縁支持プレート１０３ａを挟む上下に分けて形成されている。上下２段に分けられた各カード収容凹部１０１、１０２は、ハウジング本体１０３の直交する側面にそれぞれ開口し、２種類のメモリーカードを同一方向から挿入させている。
【０００５】
絶縁ハウジング１０３には、２種類のメモリーカードの各電極に電気接続する複数の第１コンタクト１０４と第２コンタクト１０５が取り付けられている。第１コンタクト１０４は、ハウジング本体１０３の奥壁１０３ｂを挿通して固定され、奥壁１０３ｂに片持ち支持された自由端側の接触部１０４ａが第１カード収容凹部１０１内に突出している。また、第２コンタクト１０５は、ハウジング本体１０３の底壁１０３ｃを挿通して固定され、底壁１０３ｃに片持ち支持された自由端側の接触部１０５ａが第２カード収容凹部１０２内に突出している。これにより、第１コンタクト１０４と第２コンタクト１０５の接触部１０４ａ、１０５ａは、それぞれ第１カード収容凹部１０１と第２カード収容凹部１０２に収容される２種類のメモリーカードの各電極に弾性接触し、２種類のメモリーカードが同時に電気接続される。
【先行技術文献】
【特許文献】
【０００６】
【特許文献１】特開２００１−３１３１２８号公報
【発明の概要】
【発明が解決しようとする課題】
【０００７】
この従来のメモリーカード用コネクタ１００は、上下２段に分けてカード収容凹部１０１、１０２を形成するので、プリント配線基板側の実装面積を拡大させずに２枚のメモリーカードを同時に接続できるが、一方で、２種類のメモリーカードの電極にそれぞれ接続する接触部１０４ａ、１０５ａを、高さの異なるカード収容凹部１０１、１０２へ臨ませるので、第１コンタクト１０４と第２コンタクト１０５をハウジング本体１０３の高さが異なる奥壁１０３ｂと底壁１０３ｃに分けて支持する必要があり、ハウジング本体１０３を低背化できないという第１の課題があった。
【０００８】
また、２枚のメモリーカードをそれぞれ上下２段に分かれたカード収容凹部１０１、１０２へ挿抜する煩わしさがあり、更に、２枚のメモリーカードが上下で重なり、一方のメモリーカードのみを挿抜するのが困難であるので、図９に示すように、カード収容凹部１０１、１０２の開口を挿入方向に沿ってずらし、そのために、プリント配線基板への実装面積が拡大するという第２の課題があった。
【０００９】
いずれの課題も解決するメモリーカード用コネクタと  して、図１０、図１１に示すメモリーカード用コネクタ１１０が検討された。このメモリーカード用コネクタ１１０では、第１コンタクトと第２コンタクトを共通の絶縁支持プレートに支持し、それぞれの接触部を絶縁支持プレートで区切られた上下のカード収容凹部へ突出させることにより（いずれも図示省略）、ハウジング本体１１１を低背化する。
【００１０】
また、２種類のメモリーカード１１２、１１３は、カードホルダー１１４の把手１１４ａから平行に一体に突設されたトレイ１１４ｂ、１１４ｃに、各電極が露出する電極面が互いに対向する向きで、それぞれカードホルダー１１４の外面側（上面側と下面側）とから装着され、その周囲がコの字枠状のトレイ１１４ｂ、１１４ｃに囲まれ位置決めされる。２枚のメモリーカード１１２、１１３を位置決めしたカードホルダー１１４のトレイ１１４ｂ、１１４ｃを、それぞれ上下２段に分けられたカード収容凹部へ挿入すると、各メモリーカード１１２、１１３の電極が絶縁支持プレートから上下に突出する第１コンタクトと第２コンタクトの各接触部に接触し、カードホルダー１１４をハウジング本体１１１へ挿入するだけで、２枚のメモリーカード１１２、１１３を同時に対応する第１コンタクトと第２コンタクトへ電気接続できるとともに、各メモリーカード１１２、１１３はトレイ１１４ｂ、１１４ｃに容易に着脱できる。
【００１１】
しかしながら、この第１、第２の課題を解決するメモリーカード用コネクタ１１０は、２枚のメモリーカード１１２、１１３の着脱を容易にするために、外面側（トレイ１１４ｂの上面側とトレイ１１４ｃの下面側）を開口させておく必要があるとともに、位置決めしたメモリーカード１１２、１１３の各電極を、第１コンタクトと第２コンタクトの各接触部へ接触させるので、対向する内面側（トレイ１１４ｂの下面側とトレイ１１４ｃの上面側）も開口させる必要があり、結局、両者を図１０（ａ）に示すように、内側が開口するコの字枠状に形成することとなり、トレイ１１４ｂ、１１４ｃが変形しやすく、充分な強度が得られないという新たな課題が生じた。
【００１２】
本発明は、このような従来の問題点を考慮してなされたものであり、低背化が可能なハウジングの収容凹部へ２種類のメモリーカードを同一方向から同時に挿抜可能とするトレイに充分な強度が得られ、メモリーカードを位置決めするトレイが変形や破損しにくいメモリーカード用コネクタを提供することを目的とする。
【課題を解決するための手段】
【００１３】
上述の目的を達成するため、請求項１のメモリーカード用コネクタは、平板状の絶縁支持プレートの上下に分けて、第１収容凹部と第２収容凹部が凹設されたハウジング本体と、第１収容凹部内に第１接触部を臨ませて絶縁支持プレートに固定され、第１収容凹部に挿入される第１メモリーカードの複数の第１電極にそれぞれ電気接続する複数の第１コンタクトと、第２収容凹部内に第２接触部を臨ませて絶縁支持プレートに固定され、第２収容凹部に挿入される第２メモリーカードの複数の第２電極にそれぞれ電気接続する複数の第２コンタクトと、第１メモリーカードの周囲を囲い、第１メモリーカードを第１電極が内面側に露出する姿勢で位置決めする第１トレイと、第２メモリーカードの周囲を囲い、第２メモリーカードを第２電極が内面側に露出する姿勢で位置決めする第２トレイと、第１トレイと第２トレイに回動自在に連結し、第１トレイに位置決めされる第１メモリーカードと第２トレイに位置決めされる第２メモリーカードとが少なくとも前記絶縁支持プレートの厚さ以上の間隔を隔てて対向する状態で平行に支持可能なヒンジ連結部とを有するカードホルダーとを備え、カードホルダーの第１トレイと第２トレイを、絶縁支持プレートの上面と下面に沿って第１収容凹部と第２収容凹部へ挿入し、第１メモリーカードの第１電極と第２メモリーカードの第２電極を、それぞれ対応部位に臨む第１接触部と第２接触部へ電気接続させることを特徴とする。
【００１４】
複数の第１コンタクトと複数の第２コンタクトは、共通する絶縁支持プレートに固定されるので、ハウジング本体が低背化される。
【００１５】
第１トレイと第２トレイはヒンジ連結部で回動自在に連結されるので、開いた状態で第１メモリーカードと第２メモリーカードをそれぞれ第１トレイと第２トレイへ容易に位置決めでき、閉じた状態で一括して第１収容凹部と第２収容凹部へ挿入して、第１メモリーカードの第１電極と第２メモリーカードの第２電極を、それぞれ対応部位に臨む第１接触部と第２接触部へ電気接続させることができる。
【００１６】
請求項２のメモリーカード用コネクタは、第１トレイと第２トレイの少なくとも一方を導電性金属板を折り曲げて形成し、第１収容凹部及び／又は第２収容凹部の絶縁支持プレートに対向する対向面を覆うシールドケースに接触させることを特徴とする。
【００１７】
トレイを導電性金属板を折り曲げて形成するので、薄肉としても変形しにくい充分な強度が得られる。
【００１８】
また、シールドケースに接触する２トレイで、電極形成面を除くメモリーカードの周囲が覆われる。
【００１９】
請求項３のメモリーカード用コネクタは、第１トレイと第２トレイの少なくとも一方は、直交する２方向で第１メモリーカード及び／又は第２メモリーカードの周囲を囲う４片の枠片を有し、１片の枠片に第１メモリーカード及び／又は第２メモリーカードの周囲に弾性接触する板バネ片が形成されていることを特徴とする。
【００２０】
メモリーカードは、一方の枠辺に板バネ片が形成された対向する一組の枠片に挟持され、位置決めされる。
【発明の効果】
【００２１】
請求項１の発明によれば、ハウジング本体を低背化でき、２種類の第１メモリーカードと第２メモリーカードを、カードホルダーの第１トレイと第２トレイに位置決めして、第１収容凹部と第２収容凹部内に同時に挿抜できる。
【００２２】
また、第１トレイと第２トレイは、それぞれ第１メモリーカードと第２メモリーカードを周囲と背面側を一体に覆う構造とすることができ、充分な強度が得られるので、破損や変形しにくい。
【００２３】
請求項２の発明によれば、トレイに変形しにくい充分な強度が得られるとともに、シールドケースに接触するトレイで、メモリーカードに露出する電極とコンタクトの接触部を外部から遮蔽できる。
【００２４】
請求項３の発明によれば、メモリーカードをトレイの４片の枠片内に収容した状態で、板バネ片が弾性接触して仮保持されるので、第１トレイと第２トレイを互いの内面が平行となるまで回転させる間にメモリーカードがトレイから脱落することがなく、カードホルダーをハウジング本体へ装着できる。
【図面の簡単な説明】
【００２５】
【図１】本発明の一実施の形態に係るメモリーカード用コネクタ１のカードホルダー１０を装着する状態を示す斜視図である。
【図２】展開状態のカードホルダー１０の斜視図である。
【図３】展開状態から第１トレイ１１を９０度回転させたカードホルダー１０の斜視図である。
【図４】図２のカードホルダー１０へ第１メモリーカード２０と第２メモリーカード２２を位置決めした状態を示す斜視図である。
【図５】図３のカードホルダー１０へ第１メモリーカード２０と第２メモリーカード２２を位置決めした状態を示す斜視図である。。
【図６】シールドケース８を除いたハウジング本体２を斜め上方からみた斜視図である。
【図７】シールドケース８を除いたハウジング本体２を斜め下方からみた斜視図である。
【図８】第１トレイ１１と第２トレイ１３を平行配置した閉じ状態のカードホルダー１０をハウジング本体２へ装着する状態を示す斜視図である。
【図９】従来のメモリーカード用コネクタ１００の縦断面図である。
【図１０】本発明の比較例に係るメモリーカード用コネクタ１１０に備えられるカードホルダー１１４を示し、（ａ）は、カードホルダー１１４の斜視図、（ｂ）は、メモリーカード１１２、１１３を位置決めしたカードホルダー１１４の斜め上方からみた斜視図、（ｃ）は、メモリーカード１１２、１１３を位置決めしたカードホルダー１１４の斜め下方からみた斜視図である。
【図１１】メモリーカード用コネクタ１１０のカードホルダー１１４を装着する状態を示す斜視図である。
【発明を実施するための形態】
【００２６】
以下、本発明の一実施の形態に係るメモリーカード用コネクタ１を、図１乃至図８を用いて説明する。本実施の形態の説明では、図１に示すカードホルダー１０のハウジング本体２への装着方向に沿ったカードホルダー１０側を前方とハウジング本体２側を後方と、カードホルダー１０からみたハウジング本体２の上下左右方向を上下左右方向として、メモリーカード用コネクタ１の各部を説明する。
【００２７】
このメモリーカード用コネクタ１は、携帯電話機の図示しないプリント配線基板上に実装され、異なる地域の通信事業者に対応するＩＤ情報がそれぞれ記憶された２種類の第１メモリーカード２０と第２メモリーカード２２を選択的に携帯電話機を接続可能として、携帯電話機で異なる地域でメモリーカードを交換することなく通話を可能とするように、同時に収容される２種類のメモリーカード２０、２２と接続するものである。本実施の形態では、第１メモリーカード２０と第２メモリーカード２２は、図４に示すように、いずれも同一形状のメモリーカードであるが、互いの外形や電極数及びその露出位置が異なる２種類のメモリーカードであっても、本発明を適用できる。
【００２８】
これらの図に示すように、メモリーカード用コネクタ１は、絶縁プラスチックで長方形薄板状に成形されたハウジング本体２と、ハウジグ本体２の成形の際にハウジグ本体２に一体成形される６本の第１コンタクト６及び６本の第２コンタクト７と、ハウジング本体２の前面と後面を除く周囲を覆うシールドケース８と、２種類のメモリーカード２０、２２を位置決め収容するカードホルダー１０とからなっている。
【００２９】
ハウジグ本体２は、図６と図７に示すように、水平面に沿った絶縁支持プレート３の前面を除く周囲が厚肉のコの字枠部２ａで囲われ、絶縁支持プレート３で仕切られる上下にそれぞれコの字枠部２ａで囲われる第１収容凹部４と第２収容凹部５が形成されている。絶縁支持プレート３には、前後２列に分けて各列６個の矩形状の開口３１が上下に貫通して形成され、左右で隣り合う各開口３１Ｒ、３１Ｌ内に、後述する第１コンタクト６の第１接触部６ａと第２コンタクト７の第２接触部７ａが交互に露出している。
【００３０】
６本の第１コンタクト６は、それぞれ細長帯状の導電性金属板を折り曲げ、ハウジグ本体２に一体成形されて埋設される固定部（図示せず）と、固定部で開口３１Ｌ内に片持ち支持され、湾曲する上端が第１収容凹部４内に突出する第１接触部６ａと、固定部からハウジング本体２の後方にクランク状に引き出された半田付け脚部６ｂとが形成される。第１接触部６ａは、左右方向で隣り合う一組の開口３１Ｒ、３１Ｌの左側の開口３１Ｌに露出するので、６本の第１コンタクト６は、第１収容凹部４の左側に偏倚して第１収容凹部４内に突出している。
【００３１】
また、６本の第２コンタクト７も、それぞれ第１コンタクト６と同様に細長帯状の導電性金属板を折り曲げ、ハウジグ本体２に一体成形されて埋設される固定部（図示せず）と、固定部で開口３１Ｒ内に片持ち支持され、湾曲する下端が第２収容凹部５内に突出する第２接触部７ａと、固定部からハウジング本体２の後方にクランク状に引き出された半田付け脚部７ｂとが形成される。第２接触部７ａは、一組の開口３１Ｒ、３１Ｌの右側の開口３１Ｒに露出するので、６本の第２コンタクト７は、第２収容凹部５の右側に偏倚して第２収容凹部５内に突出している。
【００３２】
シールドケース８は、図１に示すように、導電性金属板を折り曲げて、長方形薄板状のハウジング本体２の周囲を覆うように角筒状に形成され、第１収容凹部４の上面と第２収容凹部５の下面を覆っている。シールドケース８とハウジング本体２で形成される第１収容凹部４と第２収容凹部５は、それぞれハウジング本体２の前面に上下２段に分かれて開口し、後述するように、前方から挿入されるカードホルダー１０の第１トレイ１１と第２トレイ１３を遊嵌するように、第１トレイ１１と第２トレイ１３を収容する大きさに形成されている。また、シールドケース８の左右側面の上方には、下方にＬ字状に折り曲げられた接地接片８ａが切り起こされている。
【００３３】
第１コンタクト６と第２コンタクト７を一体に支持し、周囲がシールドケース８で覆われたハウジング本体２は、第１コンタクト６の半田付け脚部６ｂと第２コンタクト７の半田付け脚部７ｂをプリント配線基板上の対向する部位に臨む信号パターンへ半田付けするとともに、シールドケース８の接地接片８ａをプリント配線基板上の接地パターンに半田付けして、プリント配線基板へ実装される。これにより、各第１コンタクト６と第２コンタクト７は、対応する信号パターンに接続し、シールドケース８の全体が接地される。
【００３４】
カードホルダー１０は、図２に示すように、第１メモリーカード２０を位置決め収容する第１トレイ１１と、第２メモリーカード２２を位置決め収容する第２トレイ１３と、ハウジング本体２の前面を覆う蓋体１７を有するヒンジ連結部１５と、第１トレイ１１と第２トレイ１３とヒンジ連結部１５の各軸受孔１１ａ、１３ａ、１６ａに挿通し、第１トレイ１１及び第２トレイ１３の基端側（前端側）とヒンジ連結部１５を回動自在に連結する金属製の枢軸ピン１８とを備えている。第１トレイ１１と第２トレイ１３は、両者の内面１１ｂ、１３ｂが上面となる図２に示す展開状態から、内面１１ｂ、１３ｂが上下で平行に対向する閉じ状態まで、その基端側を中心に少なくとも０度から１８０度まで相対回転自在にヒンジ連結部１５に連結されている。
【００３５】
第１トレイ１１は、図２、図３に示すように、金属薄板からなり、長方形状の内面１１ｂとその周囲で内面１１ｂから直角に折り曲げられた４片の枠片１２Ｒ、１２Ｌ、１２Ｆ、１２Ｂとにより桝形に形成され、更に、右辺（図２では左辺）の枠片１２Ｒと平行にその内側に切り起こされた位置決め片１２Ｇと、内面１１ｂの後方左隅で直角に折り曲げられた傾斜片１２Ｉとにより、内面１１ｂ上に配置する第１メモリーカード２０を位置決めしている。すなわち、枠片１２Ｆ、１２Ｂ、１２Ｌと位置決め片１２Ｇと傾斜片１２Ｉは、第１メモリーカード２０の輪郭に沿った各位置に形成され、第１トレイ１１の内面１１ｂ上に配置された第１メモリーカード２０は、図４に示すように、第１電極２１を上面に露出させた状態で、枠片１２Ｆ、１２Ｂと傾斜片１２Ｉにより前後方向に位置決めされ、枠片１２Ｌと位置決め片１２Ｇとにより、左側に偏倚した位置で左右方向に位置決めされる。
【００３６】
更に、基端側の枠片１２Ｆには、前後方向で対向する枠片１２Ｂに向けて突出する板バネ片１２ａが形成されているので、第１トレイ１１に位置決めされた第１メモリーカード２０は、板バネ片１２ａと枠片１２Ｂとの間で挟持され、後述するように第１トレイ１１を回動させても第１メモリーカード２０が脱落しない。
【００３７】
第２トレイ１３も、図２、図３に示すように、金属薄板から基板側の中心で第１トレイ１１と点対称の桝形に形成され、長方形状の内面１３ｂの周囲の４片の枠片１４Ｒ、１４Ｌ、１４Ｆ、１４Ｂ及び傾斜片１４Ｉと、枠片１４Ｌと平行な位置決め片１４Ｇが形成されている。これにより、第２トレイ１３の内面１３ｂ上に配置された第２メモリーカード２２は、図４に示すように、第２電極２３を上面に露出させた状態で、枠片枠片１４Ｆ、１４Ｂと傾斜片１４Ｉにより前後方向に位置決めされ、枠片１４Ｒと位置決め片１４Ｇとにより、右側に偏倚した位置で左右方向に位置決めされる。
【００３８】
また、基端側の枠片１４Ｆには、前後方向で対向する枠片１４Ｂに向けて突出する板バネ片１４ａが形成され、第２トレイ１３に位置決めされた第２メモリーカード２２を、枠片１４Ｂと間で挟持し、第２トレイ１３へ仮保持している。
【００３９】
枢軸ピン１８を挿通させる第１トレイ１１の軸受孔１１ａは、枠片１２Ｒ、１２Ｌの基端側に、第２トレイ１３の軸受孔１３ａは、枠片１４Ｒ、１４Ｌの基端側に穿設され、軸受孔１１ａ、１３ａに枢軸ピン１８を挿通して連結される第１トレイ１１の内面１１ｂと第２トレイ１３の内面１３ｂ間の間隔は、少なくとも絶縁支持プレートの厚さＴに、第１メモリーカード２０と第２メモリーカード２２の厚みを加えた高さより長くなっている。従って、閉じ状態で互いに平行に第１トレイ１１と第２トレイ１３に位置決めされる第１メモリーカード２０と第２メモリーカード２２とは、少なくとも絶縁支持プレートの厚さＴ以上の間隔を隔てて対向する。
【００４０】
ヒンジ連結部１５は、長方形板状の蓋体１７と蓋体１７の後面の左右に分けられた一対の軸受部１６、１６が、絶縁合成樹脂で一体に形成されている。一対の軸受部１６、１６には、それぞれ絶縁支持プレートの厚さＴに、第１メモリーカード２０と第２メモリーカード２２の厚みを加えた高さよりわずかに高い直方体状のスペーサブロック１６ｂが形成され、枢軸ピン１８を左右方向に挿通させる軸受孔１６ａが、スペーサブロック１６ｂの中間の高さで軸受部１６の全体を貫通して形成されている。第１トレイ１１と第２トレイ１３とヒンジ連結部１５の各軸受孔１１ａ、１３ａ、１６ａに枢軸ピン１８を挿通させると、第１トレイ１１と第２トレイ１３は、図２に示す展開状態と、第１トレイ１１の内面１１ｂと第２トレイ１３の内面１３ｂがスペーサブロック１６ｂの上面と下面に当接して互いに平行となる図８に示す閉じ状態との間で、ヒンジ連結部１５により回動自在に支持される。
【００４１】
第１トレイ１１と第２トレイ１３の左右方向の幅は、それぞれ第１収容凹部４と第２収容凹部５の左右の内壁面間の幅よりわずかに短く、第１メモリーカード２０を位置決めした第１トレイ１１と第２メモリーカード２２を位置決めした第２トレイ１３の高さは、それぞれ第１収容凹部４と第２収容凹部５の上下方向の間隔よりわずかに短く、従って、図１に示すように、閉じ状態の第１トレイ１１と第２トレイ１３をメモリーカード２０、２２と共に第１収容凹部４と第２収容凹部５へ挿入して収容可能となっている。
【００４２】
また、図３に示すように、第１トレイ１１の左右の枠片１２Ｒ、１２Ｌと第２トレイ１３の左右の枠片１４Ｒ、１４Ｌには、それぞれ板バネ片１２ｂ、１４ｂが外向きに形成されている。板バネ片１２ｂ、１４ｂは、第１トレイ１１と第２トレイ１３を第１収容凹部４と第２収容凹部５へ完全に収容した状態で、第１収容凹部４と第２収容凹部５の左右の内壁面を構成するコの字枠部２ａに形成された凹嵌部９に嵌入し、これにより、カードホルダー１０が振動や予期しない外力を受けても、第１メモリーカード２０と第２メモリーカード２２は、第１収容凹部４と第２収容凹部５から簡単に抜け出ることがない。
【００４３】
このように構成されたメモリーカード用コネクタ１に、第１メモリーカード２０と第２メモリーカード２２を接続する場合には、図２に示す展開状態とした第１トレイ１１と第２トレイ１３へ、それぞれ第１メモリーカード２０と第２メモリーカード２２を位置決めする。第１メモリーカード２０をセットする際には、板バネ片１２ａを押し込みながら枠片１２Ｆ、１２Ｂ、１２Ｌと位置決め片１２Ｇと傾斜片１２Ｉで囲まれる領域に第１メモリーカード２０を配置することにより、図４に示すように、第１電極２１が上面に露出する姿勢で第１トレイ１１に位置決めされる。同様に、第２メモリーカード２２は、板バネ片１４ａを押し込みながら枠片１４Ｆ、１４Ｂ、１４Ｒと位置決め片１４Ｇと傾斜片１４Ｉで囲まれる領域に配置することにより、第２電極２３が上面に露出する姿勢で第２トレイ１３に位置決めされる。
【００４４】
続いて、図５に示すように、第１トレイ１１と第２トレイ１３を互いの内面１１ｂ、１３ｂが向き合う方向にヒンジ連結部１５回りに回転し、各内面１１ｂ、１３ｂがスペーサブロック１６ｂの上面と下面に当接し、互いに平行に支持される図８に示す閉じ状態まで回転させる。この閉じ状態で第１メモリーカード２０は、上方側となる第１トレイ１１の内頂面（内面１１ｂ）に沿って位置決めされることになるが、板バネ片１２ａと枠片１２Ｂとの間に弾装されるので、脱落せずに絶縁支持プレート３の厚さＴ以上の間隔を隔てて第２メモリーカード２２に対向する姿勢を維持する。
【００４５】
図１に示すように、閉じ状態とした第１トレイ１１と第２トレイ１３をハウジング本体２の第１収容凹部４と第２収容凹部５へ挿入し、カードホルダー１０の蓋体１７を後方へ押し込むと、その両側の板バネ片１２ｂ、１４ｂが第１収容凹部４と第２収容凹部５の左右の内壁面を構成するコの字枠部２ａに弾性接触し、それぞれ凹嵌部９に嵌入する位置で第１収容凹部４と第２収容凹部５に完全に収容され、カードホルダー１０がハウジング本体２へ装着される。
【００４６】
カードホルダー１０を装着した状態で、第１メモリーカード２０の第１電極２１と第２メモリーカード２２の第２電極２３は、それぞれ絶縁支持プレート３の上下の面に対向し、左右に偏倚して露出する第１コンタクト６の第１接触部６ａと第２コンタクト７の第２接触部７ａに合わせて、第１メモリーカード２０は第１トレイ１１内で左寄りに、第２メモリーカード２２は、第２トレイ１３内で右寄りに位置決めされている。その結果、第１メモリーカード２０の６つの第１電極２１と第２メモリーカード２２の６つの第２電極２３は、それぞれ第１収容凹部４と第２収容凹部５内で対向して露出する６本の第１コンタクト６の第１接触部６ａと６本の第２コンタクト７の第２接触部７ａに弾性接触し、２種類のメモリーカード２０、２２が同時に電気接続される。
【００４７】
また、導電性の第１トレイ１１と第２トレイ１３を第１収容凹部４と第２収容凹部へ挿入することによって、それぞれ接地電位のシールドケース８に接触し、メモリーカード２０、２２とコンタクト６、７間の接続部が接地電位の第１トレイ１１と第２トレイ１３に覆われ、より確実に外部から遮蔽できる。
【００４８】
２種類のメモリーカード２０、２２を取り出す場合には、ハウジング本体２に装着されているカードホルダー１０の蓋体１７を握って、第１トレイ１１と第２トレイ１３を引き出し、２種類のメモリーカード２０、２２を同時に取り出すことができる。その後、第１トレイ１１と第２トレイ１３を開いて、図４に示す展開状態とし、メモリーカード２０、２２を第１トレイ１１と第２トレイ１３から取り出す。本実施の形態では、第１トレイ１１と第２トレイ１３の先端側に切り欠きを形成し、更に容易にメモリーカード２０、２２の取り出せるようにしている。
【００４９】
上述の実施の形態では、第１収容凹部４の上面と第２収容凹部５の下面をシールドケース８で覆っているが、必ずしもシールドケース８で覆わなくてもよい。第１収容凹部４若しくは第２収容凹部５の左右の内壁面に第１トレイ若しくは第２トレイに係合する係合段部を設けて、シールドケース８で覆われない開口面から第１トレイ若しくは第２トレイが抜け出ないようにし、シールドケース８に代えて金属板からなる第１トレイ若しくは第２トレイを露出させてもよい。
【００５０】
また、第１収容凹部４の上面と第２収容凹部５の下面をシールドケース８に代えてハウジング本体２で一体に覆ってもよい。
【００５１】
また、上述の実施の形態では、枢軸ピンを第１トレイと第２トレイの軸受孔へ挿通して枢軸ピン回りに回動自在に連結したが、軸受部に第１トレイと第２トレイと回動自在に係合する係合部を設けて、枢軸ピンを用いずに直接第１トレイと第２トレイを回動自在に連結することもできる。
【産業上の利用可能性】
【００５２】
本発明は、２種類の大きさのメモリーカードを同方向から挿入して同時に接続するメモリーカード用コネクタに適している。
【符号の説明】
【００５３】
１      メモリーカード用コネクタ
２      ハウジング本体
３      絶縁支持プレート
４      第１収容凹部
５      第２収容凹部
６      第１コンタクト
６ａ    第１接触部
７      第２コンタクト
７ａ    第２接触部
８      シールドケース
１０    カードホルダー
１１    第１トレイ
１２（１２Ｒ、１２Ｌ、１２Ｆ、１２Ｂ）  枠片
１２ａ  板バネ片
１３    第２トレイ
１４（１４Ｒ、１４Ｌ、１４Ｆ、１４Ｂ）  枠片
１４ａ  板バネ片
１５    ヒンジ連結部
２０    第１メモリーカード
２１    第１電極
２２    第２メモリーカード
２３    第２電極
【図１】
2015005408.tif 000003
【図２】
2015005408.tif 000004
【図３】
2015005408.tif 000005
【図４】
2015005408.tif 000006
【図５】
2015005408.tif 000007
【図６】
2015005408.tif 000008
【図７】
2015005408.tif 000009
【図８】
2015005408.tif 000010
【図９】
2015005408.tif 000011
【図１０】
2015005408.tif 000012
【図１１】
2015005408.tif 000013